(57)【要約】【課題】輸液バッグ等の医療容器を吊り下げるためのフック部の先端部を外部に接触しにくくし、しかも、輸液バッグ等を容易に着脱できるガートル台を提供する。【解決手段】輸液バッグ等の医療容器を吊り下げるためのフック部２５を有するガートル台であって、フック部２５が、支柱部２１の上端部２１ａに取付けられたバー部材２３の両端に設けられ、このフック部２５の先端側部分がバー部材２３の下方から内側に向けて折り曲げられ、その先端部がバー部材２３の下面２３ａに対向配置されている。【選択図】      図１
2014064812.tif 000002
【特許請求の範囲】
【請求項１】
輸液バッグ等の医療容器を吊り下げるためのフック部を有するガートル台であって、前記フック部が、支柱部の上端部に取付けられたバー部材の両端に設けられ、このフック部の先端側部分が前記バー部材の下方から内側に向けて折り曲げられ、その先端部が前記バー部材の下面に対向配置されていることを特徴とするガートル台。
【請求項２】
前記フック部の先端部に、前記バー部材の下面に向けて延びる可撓性材料よりなるキャップ部材が取付けられていることを特徴とする請求項１に記載のガートル台。
【請求項３】
前記キャップ部材の長さ方向の略中間部に、該キャップ部材の先端部及び基端部よりも径の小さい縮径部が設けられていることを特徴とする請求項２に記載のガートル台。
【請求項４】
前記キャップ部材の表面に微細凹凸面が形成されていることを特徴とする請求項２又は３に記載のガートル台。
【発明の詳細な説明】
【技術分野】
【０００１】
本発明は、患者等の使用者が輸液バッグ等を吊り下げて移動することができるガートル台に関する。
【背景技術】
【０００２】
一般に、ガートル台には支柱が設けられ、この支柱の上端にはフックが設けられ、このフックに点滴用容器や輸液バッグ等の医療容器を吊り下げて使用するようになっている。
【０００３】
この種のガートル台として、例えば、特許文献１の点滴用スタンドが開示されている。この点滴用スタンドでは、支柱の上端にホルダが取付けられ、このホルダにフック本体が設けられている。点滴用スタンドの使用時には、ホルダに対してフック本体を使用位置まで回動させると、このフック本体の先端部に設けられた凹部がホルダの延長線上に上向きに露出した状態で配置され、この凹部に上方から輸液バッグなどを吊り下げるようになっている。
特許文献２の点滴スタンドでは、支柱の上端部に点滴バッグ吊り下げバーが固着され、この点滴バッグ吊り下げバーの先端部に円形状の点滴バッグ吊り下げ用フックが設けられている。フックは、吊下げバーの先端側部分を下方から内側に向けて反転させるように折り曲げ、さらに上方に向けて屈曲させ、その上端部を吊下げバーよりも上方に突出させた状態としており、このフックに点滴バッグを上方から吊り下げるようになっている。
【先行技術文献】
【特許文献】
【０００４】
【特許文献１】特開２０１１−１０６８２号公報
【特許文献２】特開２００３−３１０７１２号公報
【発明の概要】
【発明が解決しようとする課題】
【０００５】
しかしながら、特許文献１や特許文献２のようにフックの先端部が露出している場合、このフックの先端部が外部に接触しやすくなり、医療行為や歩行などの妨げになることがある。例えば、フックの先端部に医療用カーテンが引っかかり易く、カーテンに引っ張られてガートル台が転倒するおそれがあった。
【０００６】
本発明は、このような事情に鑑みてなされたもので、輸液バッグ等の医療容器を吊り下げるためのフック部の先端部を外部に接触しにくくし、しかも、輸液バッグ等を容易に着脱できるガートル台を提供することを目的とする。
【課題を解決するための手段】
【０００７】
本発明のガートル台は、輸液バッグ等の医療容器を吊り下げるためのフック部を有するガートル台であって、前記フック部が、支柱部の上端部に取付けられたバー部材の両端に設けられ、このフック部の先端側部分が前記バー部材の下方から内側に向けて折り曲げられ、その先端部が前記バー部材の下面に対向配置されていることを特徴とする。
フック部の先端部をバー部材の下面に対向配置していることにより、フック部の先端部が上方のバー部材により覆われた状態となり、この先端部が上方に露出することがない。このため、フック部の先端部がバー部材の下側に隠れることで外部と接触しにくくなる。輸液バック等の医療容器を吊り下げるときは、フック部の先端部とバー部材との隙間を通して医療容器の吊り下げ用孔等をフック部に引っかければよい。
【０００８】
また、本発明のガートル台において、前記フック部の先端部に、前記バー部材の下面に向けて延びる可撓性材料よりなるキャップ部材が取付けられているとよい。
可撓性材料よりなるキャップ部材をフック部の先端部に設けることで、このキャップ部材を撓ませながら医療容器を着脱することが可能となる。さらに、フック部の先端部とバー部材との隙間をキャップ部材により狭めることが可能になり、輸液バッグ等の装着時にキャップ部材を撓ませながら容易に装着可能としながら、輸液バック等が脱落することを確実に防止できる。
【０００９】
さらに、本発明のガートル台において、前記キャップ部材の長さ方向の略中間部に、該キャップ部材の先端部及び基端部よりも径の小さい縮径部が設けられているとよい。
この場合、キャップ部材に外力を加えたときに、このキャップ部材が中間部付近で曲がりやすくなるため、輸液バッグ等を着脱するときにフック部の取付け側に力が加わってキャップ部材が抜け落ちることが防止される。
【００１０】
また、本発明のガートル台において、前記キャップ部材の表面に微細凹凸面が形成されていてもよい。
キャップ部材の表面に微細凹凸面を設けた場合、例えば、キャップ部材を構成する可撓性部材をゴム製としたときに、キャップ部材の表面を平滑面とした場合と比較して表面の摩擦抵抗を減少でき、輸液バッグ等を滑りやすくして簡単に装着できる。微細凹凸面は、成型金型にシボ加工を施す、製品にサンドブラスト加工を施すなどの方法により形成することができる。
【発明の効果】
【００１１】
本発明のガートル台によれば、フック部の先端部をバー部材の下方に隠してこの先端部を外部に接触しにくくしたので、フック部が医療用カーテンなどに引っかかって転倒することを防ぎ、医療行為や歩行などの妨げになることを回避できる。しかも、輸液バッグ等の着脱を容易に行うことができる。
【図面の簡単な説明】
【００１２】
【図１】本発明のガートル台を示す斜視図である。
【図２】バー部材を示す正面図である。
【図３】図２の平面図である。
【図４】図３のＡ−Ａ線に沿う拡大断面図である。
【図５】キャップ部材を示す斜視図である。
【発明を実施するための形態】
【００１３】
以下、本発明の一実施形態に係るガートル台１０について図１〜図５を参照しながら説明する。図１において、ガートル台１０は、金属製の脚部２０、支柱部２１を備え、脚部２０の中央部２２に支柱部２１が取付けられている。支柱部２１の上端部２１ａには、バー部材２３が設けられている。
図２、図３に示したバー部材２３は、水平に配置され、両端にフック部２５、２５が形成されている。
フック部２５は、図示しない輸液バッグ等の医療容器を吊り下げるために設けられ、このフック部２５の先端側部分は、バー部材２３の下方から内側に向けて折り曲げられ、図４に示すように、その先端部がバー部材２３の下面２３ａに向けて対向配置されている。
【００１４】
フック部２５の先端部には、キャップ部材３０が取付けられている。このキャップ部材３０は、例えばゴム材料等の可撓性材料からなり、図５に示すように、比較的径の大きい先端部３１及び基端部３２の間に、これら先端部３１、基端部３２よりも径の小さい縮径部３３が形成されていることにより、長さ方向の中間部がくびれた形状をなしている。また、基端部３２には、その内周部に突条部３４が形成され、バー部材２３の先端部に形成した溝部２４に係止されることにより、抜け止めされるようになっている。
図示例では、キャップ部材３０の先端部３１とバー部材２３の下面２３ａとの間には隙間Ｇがあけられている。この隙間Ｇは、輸液バッグ等の医療容器をフック部２５に吊り下げる際に、医療容器の吊り下げ部を通すことができるように、その吊下げ部の幅よりも大きい寸法に設定しておいてもよいが、キャップ部材３０が撓むことができるので、医療容器の吊下げ部よりも小さい寸法に設定しておいた方がよく、吊り下げた後に容易に外れないようにすることができる。また、キャップ部材３０の先端部３１をバー部材２３の下面２３ａに接触させるようにしておいてもよく、医療容器の脱落をより確実に防止することができる。
このキャップ部材３０は、可撓性材料であれば、ゴム材料以外の材料により形成されていてもよく、また、突条部３４を溝部２４に嵌合する取り付け手段以外にも接着等によってキャップ部材３０に固着してもよい。キャップ部材３０をバー部材２３とは別体に設けていることで、このキャップ部材３０を消耗等に応じて交換することもできる。
【００１５】
また、前述したように、キャップ部材３０の長さ方向の略中間部には、該キャップ部材３０の先端部３１及び基端部３２よりも径の小さい縮径部３３が設けられており、キャップ部材３０は、外力が加わったときにこの縮径部３３付近で撓むようにして折り曲げ可能になっている。さらに、キャップ部材３０の内側を図４に示すように中空状に設けてもよく、この場合、キャップ部材３０の肉厚が薄くなることでより撓みやすくなり、かつ、キャップ部材３０を構成するゴム材料を少なくすることができる。
【００１６】
また、図５に示すように、キャップ部材３０の表面には微細凹凸面３５が設けられている。この微細凹凸面３５を設けることで、ゴム材料からなるキャップ部材３０表面の粘着性を少なくして、表面を滑りやすくすることができる。微細凹凸面３５を設ける場合、キャップ部材３０の外力が加わる部位（輸液バッグ等が接触する部位）を中心として適宜の範囲に形成すればよい。
【００１７】
前述したように、フック部２５の先端側部分がバー部材２３の下方から内側に向けて折り曲げられ、その先端に取り付けたキャップ部材３０の先端部３１がバー部材２３の下面２３ａに隙間Ｇをあけて対向配置されていることで、先端部３１が上方のバー部材２３により覆われて上方に露出することがなく、かつ、図４に示すように先端部３１がバー部材２３のほぼ直径の範囲内に配置されて、その左右に露出することが防止される。これにより、フック部２５の外部への接触を確実に防止できる。
【００１８】
図４に示すように、フック部２５に対して輸液バッグ等をバー部材２３の内側方向から簡単に着脱できる。輸液バッグ等の吊り下げ後には、この輸液バッグがバー部材２３よりも外側に露出することがないため、輸液バッグが外部に干渉したり引っかかったりすることも回避できる。
【００１９】
ゴム製のキャップ部材３０をバー部材２３の先端部に設け、このキャップ部材３０の長さ方向の略中間部に縮径部３３を設けていることで、輸液バッグを装着するときには、図４の二点鎖線に示すようにキャップ部材３０が縮径部３３付近で撓むようにして折れ曲がり、このキャップ部材３０の基端部３２や先端部３１に無理な力が加わることなく輸液バッグの着脱が容易になる。さらに、キャップ部材３０の表面に微細凹凸面３５を設けていることで、輸液バッグ着脱時の抵抗が抑えられる。
【００２０】
なお、図１に示すように、脚部２０は複数の脚部２０Ａ〜２０Ｃを有している。これら脚部２０Ａ〜２０Ｃは、床面側から最も高い位置に設けられた中央部２２から、先端に向かうにしたがって漸次低くなるように放射状に延びて、図示例では５本形成される。
これらの全体で５本の脚部２０Ａ〜２０Ｃは、中央部２２からほぼ均等角度に設けられている。脚部２０Ａ〜２０Ｃは、５本以外の本数であってもよく、その場合においても、中央部２２からほぼ均等角度に設けられていることが望ましい。各脚部２０Ａ〜２０Ｃの先端部の下面にはキャスタ２６がそれぞれ取付けられ、このキャスタ２６によってガートル台１０全体を移動可能になっている。
【００２１】
また、支柱部２１は、外筒部４０と内筒部４１とからなる二重筒構造であり、外筒部４０が中央部２２に固定され、この外筒部４０に内筒部４１が上下動可能に挿入されている。外筒部４０には、内筒部４１固定用のねじ構造を有する固定ねじ部４２が設けられ、内筒部４１を伸縮させて高さを調節した状態で固定ねじ部４２を締め付けることにより、その高さ位置を固定することができる。
前述のバー部材２３は、内筒部４１の上端部２１ａに取付けられており、上記のようにこの内筒部４１の高さ位置が調節可能になっているため、フック部２５に輸液バッグ等を掛けるときに内筒部４１を任意の高さに調節すれば、使用者の邪魔にならない位置に配置できる。
【００２２】
支柱部２１の外筒部４０には、固定ねじ部５０により握り部５１が取付けられている。固定ねじ部５０を緩めることで握り部５１を回転方向と高さ方向に位置調節可能であり、固定ねじ部５０を締め付けることにより所定の位置で握り部５１を固定可能になっている。この固定ねじ部５０の位置調節により、ガートル台１０を使用者の使用し易い向きに設定することができる。
【００２３】
握り部５１の下方位置には第２フック部５２が設けられ、この第２フック部５２にも輸液バッグを掛けたり、或は図示しない医療機器のケーブルや重量物を掛けることもできる。この場合、第２フック部５２は脚部２０Ａ〜２０Ｃの中心に立てられた支柱部２１の近くに設けられていることで、重量物を掛けたときにもガートル台１０全体を安定状態に維持しながら歩行可能となる。
【００２４】
なお、本発明は上記実施形態に限定されるものではなく、本発明の趣旨を逸脱しない範囲において種々の変更を加えることが可能である。
【符号の説明】
【００２５】
１０  ガートル台
２０  脚部
２１  支柱部
２１ａ上端部
２３  バー部材
２３ａ  下面
２５  フック部
３０  キャップ部材
３１  先端部
３２  基端部
３３  縮径部
３５  微細凹凸面
Ｇ  隙間
【図１】
2014064812.tif 000003
【図２】
2014064812.tif 000004
【図３】
2014064812.tif 000005
【図４】
2014064812.tif 000006
【図５】
2014064812.tif 000007